(57)【特許請求の範囲】
【請求項１】
対向配置した一対のコンクリート打設用型枠（５，５）間に亘って取付ける貫通スリーブであって、
一対の前記コンクリート打設用型枠（５，５）へ各別に取付けられる第１取付部材（１）および第２取付部材（２）を備えると共に、
前記第１取付部材（１）に嵌合連結自在な一端部を有する第１スリーブ（３）と、前記第２取付部材（２）に嵌合連結自在な一端部を有する第２スリーブ（４）とを備え、
前記第１スリーブ（３）および前記第２スリーブ（４）を、展開状態にあっては略矩形平面状で、かつ、巻付けによって略円筒状に成形自在な弾性の可撓性部材から構成すると共に、
展開状態において、相対向する二つの縁部のうち、巻付けた状態で内側に位置する縁部に沿って、径方向外方に突出する外向凸部（８）が形成され、巻付けた状態で外側に位置する縁部に沿って、径方向内方に突出する内向凸部（９）が形成され、前記外向凸部（８）と前記内向凸部（９）とを、互いに係合離脱自在に構成し、
前記第１スリーブ（３）の他端部と前記第２スリーブ（４）の他端部とが互いに嵌合し、伸縮自在に構成されている貫通スリーブ。
【発明の詳細な説明】
【０００１】
【発明の属する技術分野】
本発明は、例えば、鉄筋コンクリート構造物の梁や壁あるいは柱等に貫通孔を設ける際に、コンクリート打設用型枠（以降、単に「型枠」という）内へのコンクリート打設に先立って貫通孔用の中空部を所定の位置に形成するための貫通スリーブに関し、詳しくは、対向配置した一対の型枠間で両型枠に亘って取付ける貫通用スリーブに関する。
【０００２】
【従来の技術】
従来、この種の貫通用スリーブを型枠に取付ける場合、前記一対の型枠間に厚紙などで形成された単なる筒部材を配置して支えておき、例えば、釘などを、前記筒部材の両端部における周方向複数箇所の部位から前記型枠に達するよう斜めに打込んで取付けていた。
【０００３】
【発明が解決しようとする課題】
しかしながら、上記のごとく、釘を斜めに打込んで型枠に取付けるためには、夫々の孔形成位置において前記筒部材を対向する型枠間隔に合わせて正確な長さに切断する作業が必要となるなど、前記筒部材の取付作業が非常に煩雑であった。
釘の打込み作業についても同様である。つまり、型枠内に鉄筋等を配設した状態での狭いスペース内で、前記筒部材を支えながら作業しなければならず、作業効率は決して良いとはいえなかった。
一方、コンクリート打設後においても種々の問題があった。
例えば、型枠を取外した際に釘がコンクリートから突出した状態で残るため、この釘の切断作業が必要になる。あるいは、この釘を無理に引抜くと釘の周囲にあるコンクリートが欠けるおそれもあった。
さらに、前記筒状部材が紙製の場合には、前記筒状部材の除去が非常に煩雑となる。つまり、筒状部材自身は、一体のままで引抜くことはできず、細切れにして剥離除去せざるを得なかった。原則として筒状部材は使い捨てであり、その不経済性の改善が望まれていた。
本発明の目的は、上記欠点に鑑み、型枠に対する貫通用スリーブの取付作業および、除去作業が簡略化でき、さらに、再利用を可能とした経済的な貫通スリーブを提供することにある。
【０００４】
【課題を解決するための手段】
（構成）
この目的を達成するための本発明の貫通スリーブの特徴構成は、一対の前記コンクリート打設用型枠へ各別に取付けられる第１取付部材および第２取付部材を備えると共に、前記第１取付部材に嵌合連結自在な一端部を有する第１スリーブと、前記第２取付部材に嵌合連結自在な一端部を有する第２スリーブとを備え、前記第１スリーブおよび前記第２スリーブを、展開状態にあっては略矩形平面状で、かつ、巻付けによって略円筒状に成形自在な弾性の可撓性部材から構成すると共に、展開状態において、相対向する二つの縁部のうち、巻付けた状態で内側に位置する縁部に沿って、径方向外方に突出する外向凸部が形成され、巻付けた状態で外側に位置する縁部に沿って、径方向内方に突出する内向凸部が形成され、前記外向凸部と前記内向凸部とを、互いに係合離脱自在に構成し、前記第１スリーブの他端部と前記第２スリーブの他端部とが互いに嵌合し、伸縮自在に構成した点にある。
【０００５】
（作用・効果）
本特徴構成を有する貫通用スリーブにあっては以下の作用・効果を奏する。
即ち、前記第１スリーブおよび前記第２スリーブは、略矩形平面状の可撓性部材を筒状に丸めたものであるから、両スリーブの外径寸法の可変性が容易に得られる。そして、前記第１スリーブと前記第２スリーブとを、互いに外径寸法を異ならしめ、両スリーブの他端部どうしを重ねた状態で用いることで、前記第１スリーブと前記第２スリーブとは両スリーブの軸芯方向において伸縮自在となる。
この結果、打設したコンクリートが硬化した後、前記貫通スリーブの除去が容易となる。つまり、前記第１スリーブおよび前記第２スリーブの外径寸法を縮径させることによって、前記両スリーブは、硬化形成された構造体から容易に剥離する。よって、前記スリーブの除去が容易となる。
しかも、通常、これらのスリーブはプラスチック、ゴム等の弾性の可撓性部材で構成されているから、当該除去によって破損することはなく、何度でも再利用することができる。
また、前記第１スリーブおよび前記第２スリーブを組合わせて伸縮自在に用いるため、両スリーブを合わせた全長は任意に決定できる。このため、本発明のスリーブは、あらゆる厚みの梁・壁の施工に適応可能である。従来の厚紙製のスリーブのように、切り損じによって長さ寸法に誤差が生じることもなく、当該スリーブをコンクリート用型枠間へセッティングする作業自体も非常に簡単である。
さらに、前記第１スリーブおよび前記第２スリーブの外径寸法の決定が容易となる。
即ち、展開状態において略矩形状である当該スリーブ部材夫々の相対向する二つの縁部に沿って係合部を設け、前記第１スリーブおよび前記第２スリーブが、筒状の一定形状を維持できるようにする。具体的には、巻付けられた状態で内側に位置する縁部に沿って外向凸部を設け、外側に位置する縁部に沿って内向凸部を設ける。
例えば、前記外向凸部あるいは前記内向凸部のうち何れか一方を複数の凸部に形成し、前記両スリーブの外径寸法を任意に設定できるよう構成すれば、一層使い勝手のよいものとなる。
また、前記外向凸部あるいは前記内向凸部のうち何れか一方を複数に形成し、外径寸法を任意に設定可能とすれば、同一の部材を第１スリーブとして、あるいは、第２スリーブとして使用することができるため、経済性の点でさらに有利となる。
【０００８】
【発明の実施の形態】
以下に本発明の実施例を図１〜図３に基づいて説明する。
【０００９】
（概要）
本発明の貫通スリーブは、例えば、コンクリート構造の建築物を建設する際に、梁や壁あるいは柱等に、空調配管やケーブル等を挿通配置自在な貫通孔を予め形成するために用いられる。
【００１０】
本発明に係る貫通スリーブの実施の一例を図１〜図３に示す。
ここでは、第１取付部材１と第２取付部材２、および、第１スリーブ３と第２スリーブ４とから構成される。
前記第１取付部材１及び第２位取付部材２は、コンクリートを打設すべく対向配置される一対の型枠５，５の組立て後、前記型枠５，５の所定の位置に釘等によって取付けられる。次に、予め組み上げた鉄筋７に前記第１スリーブ３および第２スリーブ４を内臓しておき、前記組み上げた鉄筋７を当該型枠５，５内に降ろし、位置決めする。この後、前記第１スリーブ３および第２スリーブ４の前記第１取付部材１および第２取付部材２の間に取付けられる。
前記型枠５，５内にコンクリートを打設し、硬化後、前記型枠５，５、前記取付部材、および、前記スリーブ等を取外せば、貫通孔１２を有する梁１４等が完成することなる。
以下、前記第１取付部材１・前記第２取付部材２および前記第１スリーブ３・前記第２スリーブ４の詳細について説明する。
【００１１】
（取付部材）
前記第１取付部材１および前記第２取付部材２は、前記第１スリーブ３および前記第２スリーブ４を夫々保持するための部材であり、貫通孔を形成する位置に合わせて前記両型枠５，５に取付けられる。
前記第１取付部材１および前記第２取付部材２は、ＪＩＳ  Ｋ  ６３０１（加硫ゴム物理試験方法）によるスプリング硬さＨｓ（ＪＩＳ  Ａ）が６０〜９０度のゴムまたはプラスチック等の可撓性材料で構成される。
図３に示すごとく、前記第１取付部材１および前記第２取付部材２は、前記型枠５，５に取付けるためのフランジ１０を有する。このフランジ１０に、例えば固定部材６としての釘を挿通して前記型枠５，５に打込み、前記第１取付部材１および前記第２取付部材２を前記型枠５，５に固定する。
尚、前記フランジ１０には、前記固定部材６を挿通させるための孔部を予め設けておいてもよいし、設けなくてもよい。前記固定部材６が貫通しさえすれば、何れの構成であってもよい。
前記第１・第２取付部材１，２は、前記第１・第２スリーブ３，４が外嵌するテーパー部１１を有する。本構成により当該第１・第２取付部材１，２と前記第１・第２スリーブ３，４とが密着し、前記第１・第２スリーブ３，４をガタのない状態で保持することができる。
【００１２】
（スリーブ）
前記第１スリーブ３および前記第２スリーブ４は、前記スプリング硬さＨｓ（ＪＩＳ  Ａ）が７０度以上である硬質のプラスチックまたはゴム等の中から選ばれた弾性の可撓性材料で構成される。もちろん、当該スリーブあるいは前記取付部材の材料は処女材料であってもよいし再生材料であってもよい。
当該第１・第２スリーブ３，４は、使用時に外径寸法の変更が容易な略筒状に形成されている。例えば、前記第１スリーブ３の外径を前記第２スリーブ４の外径より大きく形成し、前記第２スリーブ４を前記第１スリーブ３の内部に摺動自在に内嵌する。
これら両スリーブ３，４を前記第１・第２取付部材１，２間に取付ける。この際、両スリーブ３，４夫々の開放側端部は前記第１・第２取付部材のテーパー部１１に当接され、ガタのないように保持される。
夫々の前記第１・第２取付部材１，２と前記第１・第２スリーブ３，４との連接部には、打設したコンクリートが前記両スリーブ３，４内に侵入しないように目留め１３を施す。この場合には、例えば、ガムテープのようなものを用いると簡便であり、目留めの効果のみならず、各部材の位置ズレ等を効果的に防止できる。
本構成により、前記両型枠５，５の間隔に拘わらず、当該第１・第２スリーブ３，４を取付けることができる。
図３に示すごとく、前記第１・第２スリーブ３，４は、略筒状の形状である。これは、押出成形を行うことにより、当初より略筒状に形成するものである。よって、これら第１、第２スリーブ３，４は所定の外径状態を保持するものであるが、略円筒状の周面は不連続である。即ち、展開した状態では略矩形形状を呈する部材を単に丸めた構成である。
前記矩形形状の四つの縁部のうち、丸めた際に重ね合わされる二つの縁部（以後、重合縁部という）の夫々には係合のための凸部が形成されている。即ち、重合縁部のうち内側となる縁部には、両スリーブ３，４夫々の外側に向けて突出する外向凸部８が形成されており、一方、外側となる縁部には、スリーブの内側に向けて突出する内向凸部９が形成されている。これら凸部８，９は、互いに係合可能なものであれば、何れの形状でもよい。例えば、縁部に沿って連続して延出する構成であってもよいし、縁部に沿って点在する構成であってもよい。
尚、縁部に沿って連続した凸部を構成する場合には、前記両スリーブ３，４に補強のリブを形成したのと同様の効果が生じるから、コンクリート打設時に、当該両スリーブ３，４の変形を防止できるという利点も得られる。
使用前の前記スリーブ３，４は、略筒状とはいえ前記重合縁部は離間した状態にある。即ち、使用に際しては、作業者がこれら両スリーブ３，４を縮径するように力を加え、前記外向凸部８と前記内向凸部９とを係合させることにより、所定の外径状態に保持する。
前記第１・第２スリーブ３，４の前記重合縁部、あるいは、前記第１・第２スリーブ３，４どうしの連接部には、ガムテープ等を用いて目留め１３を施す。
前記重合縁部のうち一方には、前記凸部を複数設け、略筒状とした際の外径を適宜選択できるようにしておくと便利である。つまり、同一のスリーブ３，４を用いながら、前記第１スリーブ３として、あるいは、前記第２スリーブ４として使用することができるから、使い勝手のよいものとなる。
【００１３】
（スリーブ除去）
打設したコンクリートが硬化した後は、まず、前記型枠５，５を除去する。
前記取付部材１，２は、この際に前記型枠５，５の夫々と共に容易に外れる。前記第１・第２スリーブ３，４については、単に引抜くのではなく、一端、スリーブ径を縮径させ、硬化形成された構造体から前記第１・第２スリーブ３，４を剥離させた後に取り出す。この際、先に目留めに用いたガムテープ等の抵抗はそれ程問題とはならない。
当該両スリーブ３，４は、プラスチックまたはゴム等の部材からなるため、吸湿して材料自身の強度が低下するなどの不都合はなく、除去の際に破れ等の破損が生じることはない。よって、従来の厚紙製筒部材の場合、細切れに破り取るようにして剥離除去せざるを得なかったのに対し、本発明の第１・第２スリーブ３，４を用いた場合には、除去作業が極めて簡略化できる。しかも、従来の筒部材が消耗品であったのに対し、本発明の第１・第２スリーブ３，４は再利用可能であり、経済面においても有利である。また、廃棄物を生じさせないという点において、環境保護の点においても優れているといえる。
前記第１・第２スリーブ３，４を除去した後の貫通孔１２の形状は、当該貫通孔１２の軸芯方向の途中の位置で、前記第１スリーブ３と前記第２スリーブ４との外径の差だけ段差を有する。しかしながら、当該段差は貫通孔１２の孔径に対して僅かに過ぎず、後の配管作業の際に支障となることはない。
【００１４】
尚、特許請求の範囲の項に図面との対照を便利にするために符号を記すが、該記入により本発明は添付図面の構成に限定されるものではない。
【図面の簡単な説明】
【図１】本発明の貫通スリーブを型枠に取付けた状態を示す断面図
【図２】施工完了後の梁断面図
【図３】本発明の第１・第２スリーブを表す斜視図
【符号の説明】
１    第１取付部材
２    第２取付部材
３    第１スリーブ
４    第２スリーブ
５    コンクリート打設用型枠
【図１】
0003743791.tif 000002
【図２】
0003743791.tif 000003
【図３】
0003743791.tif 000004